(57)【要約】【課題】駆動機構によって駆動される扉を有する開閉構造体を、床から天井までの高さが比較的低い建物に対しても取り付けることができる壁構造を提供する。【解決手段】壁構造１は、第１開口Ｏを有する枠体１４と枠体１４内に取り付けられた開閉扉１５とを有する開閉構造体３と、第２開口５ａを有し、開閉構造体３が第２開口５ａに嵌まり込んだ状態で開閉構造体３を保持する壁構造本体と、を備えている。壁構造本体は、開閉構造体３を支持する構造体支持部材４と、構造体支持部材４の外側及び内側に設けられた外壁５及び内壁６と、内壁６から開閉構造体３に向けて延びる横額縁１３と、開閉扉１５を駆動する駆動機構と、駆動機構と開閉扉１５とを接続する接続部材１１と、を備えている。駆動機構は、外壁５と内壁６との間でかつ横額縁１３の上に設けられている。【選択図】図２
2016138365.tif 000002
【特許請求の範囲】
【請求項１】
壁構造であって、
第１開口を有する枠体と前記第１開口を開閉可能な状態で前記枠体内に取り付けられた開閉扉とを有する開閉構造体と、
第２開口を有し、前記開閉構造体が前記第２開口に嵌まり込んだ状態で当該開閉構造体を保持する壁構造本体と、を備え、
前記壁構造本体は、
前記開閉構造体を支持する構造体支持部材と、
前記第２開口を有するとともに前記構造体支持部材の外側に設けられた外壁であって、前記第２開口の上に配置された外側上配置部を有する外壁と、
前記構造体支持部材の内側に設けられ、前記開閉構造体を内側に開放するための第３開口を有する内壁であって、前記第３開口の上に配置された内側上配置部を有する内壁と、
前記内側上配置部の下端部から前記開閉構造体の上縁に向けて延びる横額縁と、
前記開閉扉の開閉方向に沿って駆動する駆動部を有する駆動機構と、
前記駆動機構の駆動部と前記開閉扉とを接続する接続部材と、を備え、
前記駆動機構は、前記外側上配置部の下端部と前記内側上配置部の下端部との間でかつ前記横額縁の上に設けられている、壁構造。
【請求項２】
前記構造体支持部材は、前記枠体の上縁に沿って延びるとともに当該枠体の上縁に固定された上縁固定部を含み、
前記駆動機構は、前記上縁固定部に固定されている、請求項１に記載の壁構造。
【請求項３】
前記壁構造本体は、前記横額縁の着脱可能な取り付けを許容する取付機構を有する、請求項１又は２に記載の壁構造。
【請求項４】
前記壁構造本体は、前記駆動機構を収納するケーシングを備え、
前記取付機構は、前記ケーシングに設けられたケーシング側取付部と、前記横額縁に設けられた横額縁側取付部と、を有し、
ケーシング側取付部及び横額縁側取付部は、前記ケーシング側取付部及び前記横額縁側取付部の少なくとも一方の磁力によって互いに着脱可能である、請求項３に記載の壁構造。
【請求項５】
前記壁構造本体は、前記開閉構造体の側縁に沿って延びるとともに前記内壁から前記開閉構造体の側縁に向けて延びる縦額縁をさらに備え、
前記取付機構は、前記横額縁に設けられた横額縁側係合部と、前記縦額縁に設けられた縦額縁側係合部と、を有し、
前記横額縁側係合部及び前記縦額縁側係合部は、互いに着脱可能に係合している、請求項３又は４に記載の壁構造。
【請求項６】
前記接続部材は、前記開閉扉の内側面に取り付けられた取付部と、前記駆動機構から前記取付部まで延びる延設部とを有し、
前記横額縁は、前記延設部を通すために上下方向に貫通する貫通部を有し、
前記横額縁の下面は、前記取付部の下端位置よりも上に配置されている、請求項１〜５の何れか１項に記載の壁構造。
【請求項７】
前記横額縁の下面は、前記接続部材の延設部の下端位置と同じ高さに配置されている、請求項６に記載の壁構造。
【発明の詳細な説明】
【技術分野】
【０００１】
本発明は、開口を有する壁構造本体と、開口に嵌め込まれた状態で前記壁構造本体に取り付けられた開閉構造体とを有する壁構造に関するものである。
【背景技術】
【０００２】
従来から、開口を有する枠体と、開口を開閉可能な状態で枠体に取り付けられた折り戸とを含む開閉構造体を備えた折り畳み自動ドア装置が知られている（例えば、特許文献１）。
【０００３】
特許文献１に記載の自動ドア装置は、開口を電動で開閉するように構成されている。
【０００４】
具体的に、自動ドア装置は、枠体上に固定された無目と、無目内に設けられた駆動モータと、折り戸から無目内に延びる回転軸と、無目内に設けられて駆動モータと回転軸とを接続するリンク機構とを備えている。
【０００５】
駆動モータからの動力がリンク機構を介して回転軸に伝達されることにより、折り戸は、枠体内の開口部を開放する開状態と、開口部を閉じる閉状態との間で作動する。
【先行技術文献】
【特許文献】
【０００６】
【特許文献１】特開平９−１４４４２５号公報
【発明の概要】
【発明が解決しようとする課題】
【０００７】
特許文献１に記載の自動ドア装置は、開口を有する壁構造本体に対し、開口にはめ込まれた状態で取り付けられる。
【０００８】
しかしながら、前記自動ドア装置においては、枠体上に無目が固定されているため、自動ドア装置の高さ寸法が大きくなり、当該自動ドア装置を取り付けるために壁構造本体に要求される開口の高さ寸法が大きくなる。
【０００９】
したがって、床から天井までの高さが比較的低い建物（例えば、住宅）に特許文献１に記載の自動ドア装置を採用することは困難である。
【００１０】
本発明の目的は、駆動機構によって駆動される扉を有する開閉構造体を、床から天井までの高さが比較的低い建物に対しても取り付けることができる壁構造を提供することにある。
【課題を解決するための手段】
【００１１】
上記課題を解決するために、本発明は、壁構造であって、第１開口を有する枠体と前記第１開口を開閉可能な状態で前記枠体内に取り付けられた開閉扉とを有する開閉構造体と、第２開口を有し、前記開閉構造体が前記第２開口に嵌まり込んだ状態で当該開閉構造体を保持する壁構造本体と、を備え、前記壁構造本体は、前記開閉構造体を支持する構造体支持部材と、前記第２開口を有するとともに前記構造体支持部材の外側に設けられた外壁であって、前記第２開口の上に配置された外側上配置部を有する外壁と、前記構造体支持部材の内側に設けられ、前記開閉構造体を内側に開放するための第３開口を有する内壁であって、前記第３開口の上に配置された内側上配置部を有する内壁と、前記内側上配置部の下端部から前記開閉構造体の上縁に向けて延びる横額縁と、前記開閉扉の開閉方向に沿って駆動する駆動部を有する駆動機構と、前記駆動機構の駆動部と前記開閉扉とを接続する接続部材と、を備え、前記駆動機構は、前記外側上配置部の下端部と前記内側上配置部の下端部との間でかつ前記横額縁の上に設けられている、壁構造を提供する。
【００１２】
本発明によれば、駆動機構を開閉構造体から分離してこの駆動機構を外壁（外側上配置部）と内壁（内側上配置部）との間のスペースに配置しているため、壁構造本体の第２開口の高さを、開閉構造体を嵌め込むことができる高さに抑えることができる。
【００１３】
したがって、開閉構造体の上に駆動機構が設けられている場合と比較して第２開口の高さを低くすることができる。
【００１４】
しかも、本発明によれば、外壁（外側上配置部）、内壁（内側上配置部）、及び横額縁によって内外及び下から駆動機構を覆うことができるため、例えば、駆動機構が内壁の内側に露出している場合と比較して、壁構造の見栄えを向上することもできる。
【００１５】
また、既存の構成（外壁、内壁、及び横額縁）を利用して駆動機構を覆うことができるため、コストを増加することなく壁構造の見栄えを向上することができる。
【００１６】
したがって、本発明によれば、駆動機構によって駆動される開閉扉を有する開閉構造体を、床から天井までの高さが比較的低い建物に対しても見栄えよく取り付けることができる。
【００１７】
ここで、駆動機構を支持するための部材を構造体支持部材とは別に設けてもよいが、この場合には壁構造のコストが増加する。
【００１８】
そこで、前記壁構造において、前記構造体支持部材は、前記枠体の上縁に沿って延びるとともに当該枠体の上縁に固定された上縁固定部を含み、前記駆動機構は、前記上縁固定部に固定されていることが好ましい。
【００１９】
この態様によれば、構造体支持部材を駆動機構を支持するためにも用いることができるため、壁構造のコストの増加を抑制しつつ駆動機構を確実に支持することができる。
【００２０】
ここで、駆動機構は、外壁（外側上配置部）、内壁（内側上配置部）、及び横額縁によって覆われているため、これらの部材が駆動機構に固定されていると、駆動機構のメンテナンスが困難となる。
【００２１】
そこで、前記壁構造において、前記壁構造本体は、前記横額縁の着脱可能な取り付けを許容する取付機構を有することが好ましい。
【００２２】
この態様によれば、横額縁を取り外すことにより駆動機構を下に開放することができるため、駆動機構を下からメンテナンスすることができる。
【００２３】
具体的に、前記壁構造本体は、前記駆動機構を収納するケーシングを備え、前記取付機構は、前記ケーシングに設けられたケーシング側取付部と、前記横額縁に設けられた横額縁側取付部と、を有し、ケーシング側取付部及び横額縁側取付部は、前記ケーシング側取付部及び前記横額縁側取付部の少なくとも一方の磁力によって互いに着脱可能である構成とすることができる。
【００２４】
この態様によれば、横額縁をケーシングに対して磁力によって着脱することができる。
【００２５】
また、前記壁構造本体は、前記開閉構造体の側縁に沿って延びるとともに前記内壁から前記開閉構造体の側縁に向けて延びる縦額縁をさらに備え、前記取付機構は、前記横額縁に設けられた横額縁側係合部と、前記縦額縁に設けられた縦額縁側係合部と、を有し、前記横額縁側係合部及び前記縦額縁側係合部は、互いに着脱可能に係合している構成とすることもできる。
【００２６】
この態様によれば、横額縁を縦額縁に対して着脱可能に係合することができる。
【００２７】
ここで、枠体内に設けられた開閉扉に対しては接続部材を上から接続するのは困難である。そこで、前記開閉扉の内側面に取り付けられた取付部と前記駆動機構から前記取付部まで延びる延設部とを有する接続部材を用いて開閉扉と駆動機構とを接続することが考えられる。
【００２８】
この場合、接続部材の取付部よりも下に横額縁を設けるとともに内側上配置部を下に伸ばすことにより駆動機構だけでなく接続部材も横額縁及び内壁によって被覆することができるが、このようにすると開閉構造体を内側に開放する開口の高さが低くなってしまう。
【００２９】
そこで、前記横額縁は、前記延設部を通すために上下方向に貫通する貫通部を有し、前記横額縁の下面は、前記取付部の下端位置よりも上に配置されていることが好ましい。
【００３０】
この態様によれば、前記横額縁の下面が前記取付部の下端位置よりも上に配置されていることにより開閉構造体を内側に開放する開口の高さを高くしながら貫通部を通じて接続部材を横額縁の上から下に導いて開閉扉の内側面に取り付けることができる。
【００３１】
さらに、前記壁構造において、前記横額縁の下面は、前記接続部材の延設部の下端位置と同じ高さに配置されていることが好ましい。
【００３２】
この態様によれば、接続部材の延設部を横額縁の下面から上の範囲内に収めることにより接続部材の取付部以外の部分の露出を抑えて見栄えを向上しつつ、開閉構造体を内側に開放する開口の高さを最大限に高くすることができる。
【発明の効果】
【００３３】
本発明によれば、駆動機構によって駆動される扉を有する開閉構造体を、床から天井までの高さが比較的低い建物に対しても取り付けることができる。
【図面の簡単な説明】
【００３４】
【図１】本発明の第１実施形態に係る壁構造の全体構成を示す斜視図であり、駆動ユニット、接続部材、縦額縁、及び横額縁を省略したものである。
【図２】図１に示す壁構造の側面断面図である。
【図３】図２のＩＩＩ−ＩＩＩ線断面図である。
【図４】図２のＩＶ−ＩＶ線断面図である。
【図５】横額縁の平面図である。
【図６】駆動ユニットから横額縁を取り外した状態を示す側面断面図である。
【図７】本発明の第２実施形態に係る壁構造の図２相当図である。
【発明を実施するための形態】
【００３５】
以下添付図面を参照しながら、本発明の実施の形態について説明する。なお、以下の実施の形態は、本発明を具体化した例であって、本発明の技術的範囲を限定する性格のものではない。
【００３６】
＜第１実施形態（図１〜図６）＞
図１を参照して、本発明の第１実施形態に係る壁構造１の基本的構成について説明する。なお、図１では、後述する駆動ユニット１０、接続部材１１、縦額縁１２、及び横額縁１３が省略されている。
【００３７】
壁構造１は、第１開口Ｏを有する略矩形の枠体１４と第１開口Ｏを開閉可能な状態で枠体１４内に取り付けられた開閉扉（障子）１５、１６とを有する開閉構造体３と、第２開口５ａを有し、開閉構造体３が第２開口５ａに嵌まり込んだ状態で当該開閉構造体３を保持する壁構造本体（符号省略）と、を備えている。なお、以下の説明では、開閉構造体３を基準として室外側を外側とし、室内側を内側とする。
【００３８】
開閉構造体３は、引き違い窓によって構成されている。
【００３９】
開閉構造体３の枠体１４は、上下方向に延びるとともに互いに平行する一対の縦枠１４ａ、１４ｂと、縦枠１４ａ、１４ｂの上端部同士の間で横方向に延びる横枠１４ｃと、縦枠１４ａ、１４ｂの下端部同士の間で横方向に延びる横枠１４ｄとを備えている。
【００４０】
開閉扉１５、１６は、横枠１４ｃ、１４ｄの長手方向に沿って移動可能な状態で枠体１４に取り付けられている。具体的に、横枠１４ｃの下面及び横枠１４ｄの上面にはそれぞれ一対のレール１４ｅ（図２及び図３参照）が設けられ、開閉扉１５、１６は、レール１４ｅに沿って摺動可能な状態で当該レール１４ｅに係合している。
【００４１】
壁構造本体（符号省略）は、横方向に延びるとともに互いに平行する上下一対の梁２と、梁２同士の間に設けられて開閉構造体３を支持する構造体支持部材４と、第２開口５ａを有するとともに構造体支持部材４の外側に設けられた外壁５と、構造体支持部材４の内側に設けられた内壁６と、内壁６の外側に設けられて内壁６を支持する内壁支持部材７と、下の梁２上に支持された床材８と、上の梁２から吊り下げられた天井材９と、を備えている。
【００４２】
構造体支持部材４は、枠体１４の一方の側縁（縦枠１４ａ）に沿って延びる側縁固定部４ａと、枠体１４の他方の側縁（縦枠１４ｂ）に沿って延びる側縁固定部４ｂと、枠体１４の上縁（横枠１４ｃ）に沿って延びる上縁固定部４ｃと、を備えている。
【００４３】
両側縁固定部４ａ、４ｂは、上の梁２に固定された上端部と、下の梁２に固定された下端部とを有する。上縁固定部４ｃは、両側縁固定部４ａ、４ｂ同士の間に設けられており、両側縁固定部４ａ、４ｂにそれぞれ固定された一対の端部を有している。これにより、両側縁固定部４ａ、４ｂと上縁固定部４ｃと下の梁２との間には、開口４ｅが形成されている。
【００４４】
また、側縁固定部４ａは、ボルトＢ２（図３参照）によって縦枠１４ａに固定され、側縁固定部４ｂも、ボルトＢ２（図３参照）によって縦枠１４ｂに固定されている。上縁固定部４ｃは、ボルトＢ１（図２参照）によって横枠１４ｃ（枠体１４の上縁）に固定されている。
【００４５】
内壁６は、開閉構造体３を内側に開放するための第３開口６ａを有する。
【００４６】
内壁支持部材７は、第３開口６ａの一方の側縁（内壁６の側縁）に沿って延びる縦材７ａと、第３開口６ａの他方の側縁（内壁６の側縁）に沿って延びる縦材７ｂと、第３開口６ａの上縁（内壁６の下縁）に沿って延びる横材７ｃと、を備えている。
【００４７】
両縦材７ａ、７ｂは、床材８と天井材９との間に設けられ、床材８に固定された下端部と、天井材９に固定された上端部とを有する。横材７ｃは、両縦材７ａ、７ｂ同士の間に設けられており、両縦材７ａ、７ｂにそれぞれ固定された一対の端部を有している。
【００４８】
縦材７ａ、７ｂ及び横材７ｃには、ビスＢ３（図２参照）によって内壁６が取り付けられている。なお、図２では、横材７ｃと内壁６との関係のみを示している。
【００４９】
ここで、前記開閉構造体３は、開閉扉１５を電動で開閉可能に構成されている。
【００５０】
図２及び図３を参照して、壁構造本体は、開閉扉１５を駆動するための駆動ユニット１０と、駆動ユニット１０と開閉扉１５とを接続する接続部材１１と、を備えている。
【００５１】
駆動ユニット１０は、図外の電源により駆動するモータ１７と、モータ１７の駆動に応じて回転する駆動プーリ１８と、従動プーリ１９と、駆動プーリ１８及び従動プーリ１９に掛け渡されたベルト２０と、モータ１７、駆動プーリ１８、従動プーリ１９及びベルト２０を収納するケーシング２１とを備えている。
【００５２】
ケーシング２１は、下向きに開く開口を有するケーシング本体２１ａと、ケーシング本体２１ａの開口を塞ぐ蓋体２１ｂと、を備えている。ケーシング本体２１ａは、ボルトＢ５（図２参照）によって構造体支持部材４の上縁固定部４ｃの内側面に固定されている。これにより、駆動ユニット１０は、構造体支持部材４に支持されている。蓋体２１ｂは、ケーシング本体２１ａに対して着脱可能に取り付けられている。
【００５３】
接続部材１１は、ベルト２０の一部と開閉扉１５の上縁の内側面とを接続する。具体的に、接続部材１１は、ベルト２０の一部を保持する保持部２２と、開閉扉１５の内側面に取り付けられた取付部２３と、保持部２２から取付部２３まで延びる延設部２４と、を備えている。
【００５４】
延設部２４は、保持部２２から略水平（外向き）に延びる第１水平部２４ａと、第１水平部２４ａの先端部から略鉛直（下向き）に延びる鉛直部２４ｂと、鉛直部２４ｂの先端部から略水平（外向き）に延びる第２水平部２４ｃと、を有する。なお、延設部２４は、ケーシング本体２１ａに形成された切欠き（符号省略）を通じて当該ケーシング２１ａの内部から外部へ導出されている。
【００５５】
取付部２３は、第２水平部２４ｃに対して略垂直に配置され、ボルトＢ４（図２参照）によって開閉扉１５の内側面に固定されている。また、取付部２３の下端位置は、第２水平部２４ｃの下面２４ｄ（延設部２４の下端位置）よりも下に配置されている。
【００５６】
以下、駆動ユニット１０による開閉扉１５の動作について説明する。
【００５７】
モータ１７が一方向に回転駆動すると、ベルト２０の両プーリ１８、１９の外側の部分は、従動プーリ１９から駆動プーリ１８へ向けた移動を開始する。これにより、図３の二点鎖線で示すように、接続部材１１及びこれに接続された開閉扉１５は、第１開口Ｏを開く方向に移動する。
【００５８】
一方、モータ１７が上記とは逆の方向に回転駆動すると、ベルト２０の両プーリ１８、１９の外側の部分は、駆動プーリ１８から従動プーリ１９に向けた移動を開始する。これにより、図３の実線で示すように、接続部材１１及びこれに接続された開閉扉１５は、第１開口Ｏを閉じる方向に移動する。
【００５９】
つまり、第１実施形態において、モータ１７、両プーリ１８、１９、及びベルト２０は、開閉扉１５の開閉方向（横方向）に沿って駆動する駆動部（ベルト２０の一部）を有する駆動機構を構成する。この駆動機構は、駆動ユニット１０を介して上縁固定部４ｃに固定されている。
【００６０】
上述した駆動ユニット１０（駆動機構）は、外壁５、内壁６、及び後述する横額縁１３によって覆われている。まず、駆動ユニット１０の配置及び駆動ユニット１０の周囲の構成について以下説明する。
【００６１】
駆動ユニット１０は、上述のように構造体支持部材４の上縁固定部４ｃの内側で、かつ、内壁６の外側に設けられている。また、駆動ユニット１０は、開閉構造体３の内側に設けられ、駆動ユニット１０の下端位置は、開閉構造体３の上端位置よりも低い。
【００６２】
さらに、駆動ユニット１０は、外壁５の第２開口５ａの上に配置された外側上配置部５ｂ（図２参照）と内壁６の第３開口６ａの上に配置された内側上配置部６ｂ（図２参照）との間に設けられている。
【００６３】
そして、壁構造１は、上縁固定部４ｃよりも下の位置で内側上配置部６ｂの下端部から開閉構造体３の上縁（横枠１４ｃ）に向けて延びる横額縁１３と、開閉構造体３の側縁（両縦枠１４ａ、１４ｂ）に沿ってそれぞれ延びるとともに内壁６から開閉構造体３の側縁（両縦枠１４ａ、１４ｂ）に向けてそれぞれ延びる一対の縦額縁１２と、をさらに備えている。両額縁１２、１３は、開閉構造体３と内壁６との間の空間を隠すための板材である。つまり、額縁１２、１３は、内壁６の第３開口６ａ（図１参照）内に取り付けられ、開閉構造体３は、額縁１２、１３、及び床材８により取り囲まれた空間を通じて内側に開放される。
【００６４】
駆動ユニット１０は、外側上配置部５ｂの下端部と内側上配置部６ｂの下端部との間でかつ横額縁１３の上で上縁固定部４ｃに固定されている。
【００６５】
横額縁１３は、駆動ユニット１０のケーシング２１に対して着脱可能である。
【００６６】
具体的に、横額縁１３は、横額縁本体１３ａと、横額縁本体１３ａの上面に埋め込まれたマグネット（横額縁側取付部）１３ｂと、を有している。図５に示すように、横額縁本体１３ａには、横方向に並ぶ複数のマグネット１３ｂが設けられている。一方、図２に示すように、ケーシング２１の蓋体２１ｂの下面には、複数の金属片（ケーシング側取付部）２１ｃが埋め込まれている。金属片２１ｃは、マグネット１３ｂと対向する位置に配置されている。したがって、図２及び図６に示すように、ケーシング２１に対して横額縁１３をマグネット１３ｂの磁力によって着脱可能に取り付けることができる。つまり、マグネット１３ｂ及び金属片２１ｃは、横額縁１３の着脱可能な取り付けを許容する取付機構を構成する。なお、金属片２１ｃが埋め込まれた蓋体２１ｂが用られているが、蓋体２１ｂ自体を金属により形成することもできる。
【００６７】
横額縁１３がケーシング２１から取り外されることにより、ケーシング２１は、下に開放される。この状態において、ケーシング本体２１ａから蓋体２１ｂを取り外すことにより、ケーシング２１に収納された構成を下からメンテナンスすることができる。
【００６８】
また、図２、図４及び図５を参照して、横額縁本体１３ａは、接続部材１１の延設部２４を通すために当該横額縁１３を上下方向に貫通する切欠き（貫通部）１３ｃを有している。切欠き１３ｃは、横額縁本体１３ａの内側縁に、開閉扉１５の開閉するための延設部２４の移動範囲に亘って設けられている。これにより、延設部２４と横額縁本体１３ａとの接触を避けながら、延設部２４の移動を許容することができる。
【００６９】
ここで、図２に示すように、横額縁本体１３ａの下面１３ｄは、接続部材１１の取付部２３の下端位置よりも上に配置され、さらに、接続部材１１の第２水平部２４ｃの下面２４ｄ（延設部２４の下端位置）と同じ高さに配置されている。これにより、開閉構造体３を内側に開放する開口の高さ（横額縁１３の下面１３ｄの高さ）を上げながら接続部材１１の取付部２３以外の露出を抑えることができる。
【００７０】
以上説明したように、駆動ユニット１０を開閉構造体３から分離してこの駆動ユニット１０を外壁５（外側上配置部５ｂ）と内壁６（内側上配置部６ｂ）との間のスペースに配置しているため、第２開口５ａの高さを、開閉構造体３を嵌め込むことができる高さに抑えることができる。
【００７１】
したがって、開閉構造体３の上に駆動機構が設けられている場合と比較して第２開口５ａの高さを低くすることができる。
【００７２】
しかも、外壁５（外側上配置部５ｂ）、内壁６（内側上配置部６ｂ）、及び横額縁１３によって内外及び下から駆動ユニット１０を覆うことができるため、例えば、駆動ユニット１０が内壁６の内側に露出している場合と比較して、壁構造１の見栄えを向上することもできる。
【００７３】
また、既存の構成（外壁５、内壁６、及び横額縁１３）を利用して駆動ユニット１０を覆うことができるため、コストを増加することなく壁構造１の見栄えを向上することができる。
【００７４】
したがって、駆動機構（モータ１７、駆動プーリ１８、従動プーリ１９、及びベルト２０）によって駆動される開閉扉を有する開閉構造体３を、床から天井までの高さが比較的低い建物に対しても見栄えよく取り付けることができる。
【００７５】
また、第１実施形態によれば、以下の効果を奏することができる。
【００７６】
横額縁１３を取り外すことにより駆動ユニット１０を下に開放することができるため、駆動ユニット１０を下からメンテナンスすることができる。
【００７７】
横額縁１３をケーシング２１に対してマグネット１３ｂの磁力によって着脱することができる。
【００７８】
横額縁１３の下面１３ｄが取付部２３の下端位置よりも上に配置されていることにより開閉構造体３を内側に開放する開口の高さを高くしながら切欠き１３ｃを通じて接続部材１１を横額縁１３の上から下に導いて開閉扉１５の内側面に取り付けることができる。
【００７９】
さらに、接続部材１１の延設部２４を横額縁１３の下面１３ｄから上の範囲内に収めることにより接続部材１１の取付部２３以外の部分の露出を抑えて見栄えを向上しつつ、開閉構造体３を内側に開放する開口の高さを最大限に高くすることができる。
【００８０】
＜第２実施形態（図７）＞
第１実施形態では、横額縁１３のマグネット１３ｂ及びケーシング２１の金属片２１ｃによって、横額縁１３の着脱可能な取り付けを許容する取付機構が構成されているが、取付機構の構成は、これに限定されず、例えば、図７に示すような構成とすることもできる。
【００８１】
図７に示す第２実施形態に係る壁構造１における取付機構は、両縦額縁１２にそれぞれ設けられた突起（縦額縁側係合部）１２ａ（図７では一方の突起１２ａのみを示す）と、横額縁１３に設けられた一対の溝（横額縁側係合部）１３ｅ（図７では一方の溝１３ｅのみを示す）と、を有する。
【００８２】
突起１２ａは、一方の縦額縁１２の他方の縦額縁１２側に向く面から当該他方の縦額縁１２に向けて突出するとともに、縦額縁１２の内側の端部から外側の端部に向けて延びている。
【００８３】
各溝１３ｅは、横額縁１３の両縦額縁１２側に向く端面にそれぞれ形成され、横額縁１３の内側の端部から外側の端面まで延びている。これにより、溝１３ｅは、横方向及び外方向に開いている。
【００８４】
両突起１２ａが両溝１３ｅ内に入り込むように横額縁１３の高さ位置を調整した状態で、横額縁１３を両縦額縁１２の内側位置から当該両縦額縁１２の間に挿入することにより、両溝１３ｅに対して両突起１２ａが係合する。これにより、駆動ユニット１０を下から覆うことができる位置に横額縁１３を取り付けることができる。
【００８５】
一方、横額縁１３が取り付けられた状態で、当該横額縁１３を内側に引き抜くことにより、図７に示すように、横額縁１３が取り外されて駆動ユニット１０が下に開放される。
【００８６】
第２実施形態によれば、横額縁１３を縦額縁１２に対して着脱可能に係合することができる。
【００８７】
なお、本発明は、前記実施形態に限定されるものではなく、例えば、以下の態様を採用することもできる。
【００８８】
開閉扉は引き違い窓に限定されない。例えば、開閉扉として折り戸を採用することもできる。この場合、開閉扉の開閉方向に沿って駆動する駆動部を有する駆動ユニットを適宜採用することができる。
【００８９】
また、前記実施形態では、開閉扉として掃出し窓（床面の位置まで開放することができるもの）が例示されているが、開閉扉の大きさは特に限定されない。例えば、開閉扉としてその下端位置が床面よりも上に配置されたもの（例えば、腰高の窓）を採用することもできる。
【００９０】
第１実施形態と第２実施形態とを組み合わせることもできる。
【００９１】
両実施形態では、接続部材１１を通すために横額縁１３に切欠き１３ｃが設けられているが、切欠き１３ｃを省略するとともに横額縁１３を接続部材１１の取付部２３よりも下に配置することもできる。この場合には、駆動ユニット１０だけでなく接続部材１１も横額縁１３によって下から隠すことができる。
【００９２】
一方、横額縁１３は、接続部材１１の延設部２４の下端位置（下面２４ｄ）よりも上に配置されていてもよい。この場合には、開閉構造体３をより広い範囲で内側に開放することができる。
【００９３】
また、延設部２４を上下方向に通すために横額縁１３に設けられた貫通部は、切欠き１３ｃに限定されず、横額縁１３を上下方向に貫通する孔であってもよい。
【００９４】
両実施形態では、横額縁１３の着脱が許容されているが、横額縁１３は、壁構造１において固定されていてもよい。
【符号の説明】
【００９５】
Ｏ    第１開口
１    壁構造
３    開閉構造体
４    構造体支持部材
４ｃ    上縁固定部
５    外壁
５ａ    第２開口
５ｂ    外側上配置部
６    内壁
６ｂ    内側上配置部
１０    駆動ユニット
１１    接続部材
１２    縦額縁
１２ａ    突起（縦額縁側係合部の一例）
１３    横額縁
１３ｂ    マグネット（横額縁側取付部の一例）
１３ｄ    横額縁の下面
１３ｅ    溝（横額縁側係合部の一例）
１４    枠体
１５    開閉扉
１７    モータ（駆動機構の一例）
１８    駆動プーリ（駆動機構の一例）
１９    従動プーリ（駆動機構の一例）
２０    ベルト（駆動機構の駆動部の一例）
２１    ケーシング
２１ｃ    金属片（ケーシング側取付部の一例）
２３    取付部
２４    延設部
２４ｄ    延設部の下面
【図１】
2016138365.tif 000003
【図２】
2016138365.tif 000004
【図３】
2016138365.tif 000005
【図４】
2016138365.tif 000006
【図５】
2016138365.tif 000007
【図６】
2016138365.tif 000008
【図７】
2016138365.tif 000009